(57)【特許請求の範囲】
【請求項１】
略円錐状または略角錐状の先細り形状に形成された中空部を有する切り取り部を有し、
前記切り取り部の表面に、それぞれ周方向に沿って延びる複数の溝または段差が形成された、オリフィス部材。
【請求項２】
前記複数の溝または段差は、前記切り取り部の根元から先端に向かう方向に並んでいる、請求項１に記載されたオリフィス部材。
【請求項３】
前記複数の溝または段差は、前記切り取り部の根元から先端に向かう方向において、等間隔に並んでいる、請求項２に記載されたオリフィス部材。
【請求項４】
前記切り取り部は、上側の稜線が実質的に水平に配置できるように、前記切り取り部の根元側の端面に対して中心線が傾いている、請求項１または２に記載されたオリフィス部材。
【発明の詳細な説明】
【技術分野】
【０００１】
本発明は、オリフィス部材に関する。
【背景技術】
【０００２】
従来から、例えば、雨水を集合させて雨水本管に排出する雨水配管経路などにおいて、ますが用いられている。
【０００３】
ところで、短時間の間に大量の雨が降った場合などでは、雨水本管に対して、大量の雨水が急激に流れ込むおそれがある。そのため、雨水本管の上流側において、雨水の流量を規制することが好ましい。
【０００４】
下記特許文献１には、集水系統における流量調整装置が開示されている。特許文献１に開示された流量調整装置は、基本的に、流入口の開口面積が異なる複数の板状体（装置本体）を適宜交換することにより、流量を調整するものである。例えば、流量を少なめに設定する際には、流入口の開口面積の小さな装置本体を用い、逆に、流量を多めに設定する際には、流入口の開口面積の大きな装置本体を用いる。これにより、下流側に向かう雨水の流量を調整することができる。
【０００５】
また、特許文献１に開示された流量調整装置は、装置本体の流入口の一部を遮蔽する流量減少板を備えている。流量減少板は、装置本体に対して上方からスライド可能となっており、そのスライド量を調整することによって、流入口の開閉量を微調整することができる。
【先行技術文献】
【特許文献】
【０００６】
【特許文献１】特開２００３−２５３７４５号公報
【発明の概要】
【発明が解決しようとする課題】
【０００７】
しかしながら、上記特許文献１に開示された流量調整装置では、予め複数の装置本体を準備しておかなければならない。そのため、必要とされる部品点数が多くなってしまうという課題がある。また、流入口の開閉量を微調整するためには、流量減少板が別途必要となる。したがって、必要となる部品点数がさらに多くなってしまう。
【課題を解決するための手段】
【０００８】
ここで提案されるオリフィス部材は、略円錐状または略角錐状の先細り形状に形成された中空部を有する切り取り部を有し、切り取り部の表面に、それぞれ周方向に沿って延びる複数の溝または段差が形成されている。ここで、複数の溝または段差は、切り取り部の根元から先端に向かう方向に並んでいてもよい。また、複数の溝または段差は、切り取り部の根元から先端に向かう方向において、等間隔に並んでいてもよい。また、切り取り部は、上側の稜線が実質的に水平に配置できるように、切り取り部の根元側の端面に対して中心線が傾いていてもよい。
【図面の簡単な説明】
【０００９】
【図１】実施形態に係るますが設置された配管経路図である。
【図２】実施形態１に係るますの縦断面図である。
【図３】ますの横断面図である。
【図４】バケットの側面図である。
【図５】バケットの縦断面図である。
【図６】オリフィス部材の斜視図である。
【図７】オリフィス部材の平面図である。
【図８】オリフィス部材の正面図である。
【図９】オリフィス部材の側面図である。
【図１０】オリフィス部材の裏面図である。
【図１１】オリフィス部材のＸＩ−ＸＩ線断面図である。
【図１２】変形例に係るオリフィス部材における切り取り部の一部を拡大して示す側面図である。
【図１３】変形例に係るオリフィス部材における切り取り部の一部を拡大して示す側面図である。
【図１４】変形例に係るオリフィス部材の側面図である。
【図１５】変形例に係るオリフィス部材の切り取り部の斜視図である。
【図１６】実施形態２に係るますの縦断面図である。
【図１７】実施形態２に係るオリフィス部材の側面図である。
【図１８】実施形態２に係るオリフィス部材の断面図である。
【図１９】実施形態３に係るオリフィス部材の斜視図である。
【発明を実施するための形態】
【００１０】
ここで開示される、オリフィス部材は、ますの流入口側または流出口側に設けられ、前記ますの内外を流れる水の流量を制限するオリフィス部材であって、異なる位置でその一部を切り取ることが可能であり、切り取り位置を変えることによって開口面積の異なる流通口が形成可能な切り取り部を備えたものである。
なお、「ますの流入口側」とは、ますの流入口の内側（言い換えると、ますの内部）および外側（言い換えると、ますの外部）の両方を含む意味である。同様に、「ますの流出口側」とは、ますの流出口の内側および外側の両方を含む意味である。
【００１１】
上記オリフィス部材によれば、切り取り部の切り取り位置を適宜選択することにより、雨水等の流量を自由に制限することができる。したがって、交換用の部材は不要となる。また、切り取り位置を微妙に調整することによって、流通口の開口面積を容易に微調整することができる。したがって、流量を微調整するための流量減少板を別途設ける必要はない。
【００１２】
前記切り取り部は、前記ますの内外を流れる水の流通方向または当該流通方向と反対の方向に向かって突出する先細り形状に形成されていることが好ましい。
【００１３】
このことにより、比較的簡単な構成によって、切り取り位置を変えることによって開口面積の異なる流通口が形成される切り取り部を実現することができる。また、切り取り部を突出方向と直交する方向に切断することによって、流通口を形成することができる。したがって、のこぎり等の工具を用いて流通口を形成する作業が容易となる。
【００１４】
前記切り取り部は、切り取られる前の形状が略円錐状または略角錐状に形成されていてもよい。
【００１５】
このことにより、切り取り位置を変えることによって開口面積の異なる流通口が形成される切り取り部を、比較的単純な構成によって実現することができる。
【００１６】
前記切り取り部の上側の稜線は、実質的に水平であってもよい。
【００１７】
このことにより、のこぎり等の工具で切り取り部の一部を切断する際に、当該工具が切り取り部の表面上を滑ってしまうことを抑制することができる。そのため、切断作業を容易に行うことができる。
【００１８】
前記切り取り部の表面には、前記切り取り部の根元側から先端側に向かって並び、それぞれ周状に延びる複数の標線が設けられていることが好ましい。
【００１９】
このことにより、流通口のそれぞれの直径に応じた切断位置が明確となり、切り取り部の一部を当該切断位置（すなわち、標線の位置）で切断することにより、所望の直径の流通口を容易に得ることができる。
【００２０】
前記切り取り部の表面には、前記切り取り部の根元側から先端側に向かって並び、それぞれ周状に延びる複数の溝が形成されていてもよい。
【００２１】
このような形態であっても、流通口のそれぞれの直径に応じた切断位置が明確となり、切り取り部の一部を当該切断位置（すなわち、溝の位置）で切断することにより、所望の直径の流通口を容易に得ることができる。また、上記溝によって、のこぎり等の工具が切り取り部の表面上を滑ってしまうことを抑制することができる。
【００２２】
前記切り取り部の表面には、前記切り取り部の根元側から先端側に向かって並び、それぞれ周状に延びる複数の段差が形成されていてもよい。
【００２３】
このような形態であっても、流通口のそれぞれの直径に応じた切断位置が明確となり、切り取り部の一部を当該切断位置（すなわち、段差の位置）で切断することにより、所望の直径の流通口を容易に得ることができる。また、上記段差によって切り取り部に平らな面が形成される場合には、この平らな面によって、のこぎり等の工具が切り取り部の表面上を滑ってしまうことを抑制することができる。
【００２４】
前記オリフィス部材は、一端側が前記切り取り部の根元側に連続し、他端側が前記切り取り部の突出方向と反対の方向に延びる直管部と、前記直管部の他端側に設けられ、前記直管部の延びる方向から見て前記直管部から外側に広がり、前記ますの内面に沿うように湾曲したフランジ部と、をさらに備え、平面視において、前記切り取り部は、前記フランジ部の両端よりも前記突出方向の側に位置していてもよい。
【００２５】
上記オリフィス部材によれば、フランジ部が湾曲しているにも拘わらず、のこぎり等の工具を用いて切り取り部の一部を切断する際に、フランジ部が工具と干渉してしまうことを避けることができる。したがって、切り取り部の切断作業を容易に行うことができる。
【００２６】
前記オリフィス部材は、一端側が前記切り取り部の根元側に連続し、他端側が前記切り取り部の突出方向と反対の方向に延びる差し込み部をさらに備え、前記差し込み部が、前記ますの流入口部分、前記ますの流出口部分、前記ますの流入口に接続された流入管、または前記ますの流出口に接続された流出管に、直接または間接的に差し込まれるものであってもよい。
【００２７】
上記オリフィス部材によれば、差し込み部をますの流入口部分、ますの流出口部分、ますの流入口に接続された流入管、またはますの流出口に接続された流出管に、直接または間接的に差し込むことによって、容易に固定することができる。
【００２８】
前記オリフィス部材は、前記切り取り部の周囲に広がるベース部をさらに備え、前記切り取り部と前記ベース部とが一体となって板状に形成されていてもよい。
【００２９】
上記オリフィス部材においても、比較的簡単な構成によって、切り取り位置を変えることによって開口面積の異なる流通口が形成される切り取り部を実現することができる。
【００３０】
また、ますは、流入口と流出口とが形成されたます本体と、前記流出口側に配置された前記オリフィス部材とを備えたものである。
【００３１】
上記ますによれば、交換用の部材が不要なオリフィス部材を備えたますを実現することができる。また、オリフィス部材はますの流出口側に配置されているので、オリフィス部材によって流れが制限された雨水等は、一時的にますの内部に貯留されることになる。したがって、雨水等の流れを制限するにも拘わらず、その影響がますの上流側に及ぶことを抑制することができる。
【００３２】
このように、交換用の部材が不要であって雨水等の流量を制限することのできるオリフィス部材、およびそのオリフィス部材を備えたますを実現することができる。
【００３３】
（実施形態１）
《配管系統》
図１に示すように、本実施形態に係るます１は、雨水を雨水本管１０２に導く配管経路１００内に設置されている。この配管経路１００には、雨水を貯留しかつ地中に浸透させる雨水貯留浸透槽１０１が設けられている。図示は省略するが、雨水貯留浸透槽１０１の上流側には、雨樋や他のます等が配置されている。ます１は、雨水貯留浸透槽１０１の下流側に配置されており、雨水貯留浸透槽１０１と雨水本管１０２との間に介在している。なお、図１において、符号Ｇは地面を表している。雨水貯留浸透槽１０１、ます１、および雨水本管１０２は、地中に埋設されている。
【００３４】
《ます》
図２に示すように、ます１は、有底円筒状のます本体２と、ます本体２内に設置されるバケット３と、ます本体２から上方に延びる立管（点検用筒ともいう）４と、立管４の上部に取り付けられる蓋５（図１参照）と、後述するオリフィス部材１０とを備えている。
【００３５】
ます本体２の側部には、流入口２ａと流出口２ｂとが形成されている。図１に示すように、流入口２ａには流入管１１が差し込まれ、流出口２ｂには流出管１２が差し込まれている。ます本体２の上部には、立管４が接続される受け口２ｃが形成されている。なお、本実施形態においては、流入口２ａは３つ形成されている。ただし、ます本体２における流入口２ａの数は特に限定されない。
【００３６】
図３に示すように、ます本体２の流出口２ｂの両側には、上下方向に延びるスライド突起２ｅと、スライド突起２ｅに対向する上下方向に延びる案内突起２ｆとが、それぞれ形成されている。案内突起２ｆはスライド突起２ｅよりも短く、スライド突起２ｅの下側部分に対向している。これらスライド突起２ｅと案内突起２ｆとの間には、平面視コ字状の溝２ｇが形成されている。
【００３７】
本実施形態では、ます本体２と立管４とは別体であるが、ます本体２と立管４とは一体物であってもよい。また、ます本体２は、単一部材で形成されていてもよく、本実施形態のように複数の部材が組み合わされて形成されていてもよい。
【００３８】
《バケット》
図４はバケット３の側面図であり、図５はバケット３の縦断面図である。バケット３は、ます本体２よりも直径が小さい有底円筒状に形成されている（図２参照）。バケット３には、門形の把手６が設けられている。
【００３９】
把手６は、バケット３の上部から上方に向かって延びる２本の支持部６ａと、支持部６ａの上端を連結する連結部６ｂとによって構成されている。連結部６ｂは、ます本体２の内面に沿うように湾曲している。また、支持部６ａの外側面には、縦溝（図示省略）が形成されている。当該縦溝部分をます本体２に形成されたスライド突起２ｅ（図３参照）と係合させることにより、バケット３はます本体２内に固定される。
【００４０】
また、把手６の支持部６ａの内側面には、上下方向に延びる断面コ字状の凹型スライドレール６ｅが形成されている。図５に示すように、凹型スライドレール６ｅは中央部分で途切れており、上側部分と下側部分とは略等しい長さに形成されている。
【００４１】
《オリフィス部材》
図２に示すように、オリフィス部材１０は、先端側（図２における左側）が切断された略円錐状の切り取り部２０と、切り取り部２０の根元側に連続する直管部２１と、直管部２１から外側に広がるフランジ部２２とを備えている。
【００４２】
図６〜図１０は、切り取り部２０の一部が切断される前の状態のオリフィス部材１０を表している。切り取られる前の切り取り部２０は、円錐形状に形成されている。この切り取り部２０の表面には、切断位置を示す複数の標線４０が設けられている。所定の標線に沿って切り取り部２０の一部を切断することによって、所定の直径の流通口２４を得ることができる。これら複数の標線４０は、切り取り部２０の根元側から先端側に向かって並んでいる。各標線４０は、周状に延びている。なお、切り取り部２０の表面であって各標線４０の上または近傍に、当該標線４０の位置で切断した場合の流通口２４の直径を明記しておいてもよい。すなわち、流通口２４の寸法表示を行ってもよい。ただし、標線４０は必ずしも設ける必要はなく、省略することも可能である。また、切り取り部２０を必ずしも標線４０に沿って切断しなければならない訳ではなく、標線４０以外の箇所で切り取り部２０を切断することも勿論可能である。
【００４３】
図７に示すように、フランジ部２２は、ます本体２の内面に沿うように湾曲している。具体的には、フランジ部２２は、左右の両端２２ａが切り取り部２０側に向かうように湾曲している。なお、平面視において、切り取り部２０は、フランジ部２２の両端２２ａよりも、切り取り部２０の突出方向側（すなわち、図７における左側）に位置している。言い換えると、フランジ部２２の両端２２ａは、直管部２１の左端（すなわち、直管部２１と切り取り部２０とが連続している部分）よりも右側に位置している。これにより、切り取り部２０の一部を切断する際に、のこぎり等の切断用工具がフランジ部２２に干渉することを容易に避けることができる。そのため、切り取り部２０の切断作業が容易になる。
【００４４】
図１０に示すように、フランジ部２２には、円形状の開口２５が形成されている。開口２５の直径は特に限定されないが、本実施形態では、ます本体２の流出口２ｂの直径と略等しくなっている。フランジ部２２の開口２５の周囲には、開口２５と同心状のパッキン溝２２ｆが形成されている。ただし、このパッキン溝２２ｆは必ずしも必要ではなく、省略してもよい。フランジ部２２の左右の側面には、上下方向に延びる上下一対の凸型スライドレール２２ｇが形成されている。凸型スライドレール２２ｇは、把手６の支持部６ａの内面に形成された凹型スライドレール６ｅ（図４参照）と係合可能に形成されている。これら凸型スライドレール２２ｇと凹型スライドレール６ｅとが係合することにより、オリフィス部材１０はバケット３に固定される。
【００４５】
《オリフィス部材の設置》
次に、ます１内にオリフィス部材１０を設置する手順について説明する。
【００４６】
オリフィス部材１０の設置にあたっては、始めに、オリフィス部材１０の切り取り部２０の一部を切断し、所定の大きさの流通口２４を形成する。切断用の工具は特に限定されないが、例えば、のこぎりやサンダー等の汎用的な工具を好適に用いることができる。切断前の切り取り部２０は円錐形状に形成されているので、切り取り位置を適宜選択することにより、流通口２４の直径を自由に選ぶことができる。前述したように、本実施形態では、切り取り部２０の表面に標線４０が設けられている。各標線４０は、所定の直径の流通口２４が形成されるような位置に設けられている。そのため、所望の直径に対応する標線４０を選択し、その標線４０に沿って切り取り部２０を切断することにより、当該直径を有する流通口２４を容易に得ることができる。
【００４７】
次に、切り取り部２０の一部が切断された上記オリフィス部材１０を、バケット３に取り付ける。具体的には、オリフィス部材１０のフランジ部２２の凸型スライドレール２２ｇと、バケット３の把手６の凹型スライドレール６ｅとを係合させ、フランジ部２２を下向きにスライドさせる。これにより、オリフィス部材１０はバケット３に取り付けられる。
【００４８】
次に、バケット３をます１に取り付ける。具体的には、バケット３を、ます１の立管４の上端開口から挿入し、ます本体２に向かって下降させる。このとき、支持部６ａの外側面に形成された縦溝（図示省略）と、ます本体２に形成された一対のスライド突起２ｅ（図３参照）とを係合させ、バケット３を下向きにスライドさせる。これにより、バケット３がます本体２に固定され、ひいては、バケット３を介してオリフィス部材１０がます１内の所定の位置に設置されることになる。なお、前述したように、オリフィス部材１０のフランジ部２２は、平面視において湾曲した形状に形成されている（図７参照）。そのため、バケット３がます本体２内に固定されると、フランジ部２２はます本体の内面に隙間無く当接することになる。また、前述したように、パッキン溝２２ｆにパッキンを装着した場合には、このパッキンによってフランジ部２２とます本体２の内面との間のシール性を向上させることができる。
【００４９】
《オリフィス部材の機能》
図２に示すように、オリフィス部材１０の流通口２４は、ます１の流出口２ｂよりも直径が小さい。そのため、ます１内に流入した雨水の流れは、オリフィス部材１０の流通口２４の上流側において、いったん規制される。したがって、雨水貯留浸透槽１０１からます１に大量の雨水が流れ込んだとしても、それら雨水の流れは、ます１において規制される。よって、大量の雨水が雨水本管１０２に急激に流れ込むことが防止される。
【００５０】
《実施形態の効果》
本実施形態によれば、オリフィス部材１０は、切り取り位置を変えることによって開口面積の異なる流通口２４を形成可能な切り取り部２０を備えている。そのため、切り取り位置を選択することにより、流通口２４の大きさを任意に設定することができ、雨水の流量を適宜に制限することができる。したがって、交換用の部材は不要である。また、切り取り位置を微妙に調整することによって、流通口２４の開口面積の微調整が可能である。したがって、流量を微調整するために流量減少板を別途設ける必要はない。本実施形態に係るオリフィス部材１０によれば、部品点数を増やすことなく、雨水の流量を自由に制限することが可能となる。
【００５１】
オリフィス部材１０の切り取り部２０は、切り取られる前の形状が略円錐状に形成されており、雨水の流通方向と反対の方向に向かって突出する先細り形状に形成されている。そのため、比較的簡単な構成によって、切り取り位置を変えることによって開口面積の異なる流通口２４を形成することができる構成を得ることができる。また、そのような構成を比較的安価に実現することができる。また、本実施形態によれば、切り取り部２０を突出方向と直交する方向（すなわち、上下方向）に切断することによって、流通口２４を形成することができる。したがって、のこぎり等の工具を用いて流通口２４を形成する作業が容易となる。
【００５２】
なお、本実施形態では、オリフィス部材１０の切り取り部２０は、雨水の流通方向と反対の方向に向かって突出する先細り形状に形成されていたが、雨水の流通方向に向かって突出する先細り形状に形成されていてもよい。また、オリフィス部材１０の切り取り部２０は、切り取られる前の形状が略角錐状に形成されていてもよい。例えば、切り取られる前の切り取り部２０は、三角錐、四角錐、五角錐、六角錐等であってもよい。このような形状であっても、上述の効果を得ることができる。
【００５３】
オリフィス部材１０の切り取り部２０の表面には、切り取り部２０の根元側から先端側に向かって並び、それぞれ周状に延びる複数の標線４０が設けられている。そのため、のこぎり等の工具を用いて、切り取り部２０の一部を標線４０に沿って切断することにより、所望の大きさの流通口２４を容易に形成することができる。
【００５４】
平面視において、オリフィス部材１０のフランジ部２２は湾曲している。そのため、オリフィス部材１０をます本体２の内面に沿うように配置することができる。また、平面視において、切り取り部２０は、フランジ部２２の両端２２ａよりも切り取り部２０の突出方向の側に位置している。そのため、フランジ部２２が湾曲しているにも拘わらず、のこぎり等の工具を用いて切り取り部２０の一部を切断する際に、フランジ部２２が工具と接触することを避けることができる。したがって、切り取り部２０の切断作業を容易に行うことができる。
【００５５】
本実施形態によれば、オリフィス部材１０は、ます１の流出口２ｂ側に設置されている。そのため、オリフィス部材１０によって流れが制限された雨水は、一時的にます１の内部に貯留されることになる。したがって、雨水の流れを制限するにも拘わらず、その影響がます１の上流側に及ぶことを抑制することができる。
【００５６】
《変形例１》
前記実施形態では、オリフィス部材１０の切り取り部２０の表面に、複数の標線４０が設けられていた。しかし、図１２に示すように、標線４０の代わりに、切り取り部２０の表面に複数の溝４１を形成してもよい。すなわち、切り取り部２０の表面に、切り取り部２０の根元側から先端側に向かって並び、それぞれ周状に延びる複数の溝４１を形成してもよい。この場合であっても、流通口２４のそれぞれの直径に応じた切断位置が明確となるので、前述の効果を得ることができる。また、溝４１を形成することにより、切断開始時に、のこぎり等の工具を切り取り部２０の表面の所定箇所に位置付けやすくなる。切り取り部２０の表面で工具が滑ることを抑制することができるからである。そのため、切断作業をより簡単に行うことができる。
【００５７】
《変形例２》
また、図１３に示すように、オリフィス部材１０の切り取り部２０の表面に、複数の段差４２を形成してもよい。すなわち、切り取り部２０の表面に、切り取り部２０の根元側から先端側に向かって並び、それぞれ周状に延びる複数の段差４２を形成してもよい。このような場合であっても、流通口２４のそれぞれの直径に応じた切断位置が明確となるので、前述の効果を得ることができる。また、段差４２がない場合に比べて、切断開始時に、のこぎり等の工具を切り取り部２０の表面の所定箇所に位置付けやすくなる。そのため、切断作業をより簡単に行うことができる。なお、段差４２を設けることによって平らな面４２ａが形成される場合、この平らな面４２ａによって、のこぎり等の工具が切り取り部２１の表面上を滑ってしまうことを抑制することができる。
【００５８】
また、図１４に示すように、切り取り部２０の表面に複数のリブ４３を配置することによって、段差４２を形成してもよい。
【００５９】
《変形例３》
前記実施形態では、オリフィス部材１０の切り取り部２０は、中心線が水平に延びる略円錐形状に形成されていた。しかし、図１５に示すように、切り取り部２０は、上側の稜線２１ｋが実質的に水平となるような略円錐形状に形成されていてもよい。これにより、切り取り部２０の一部を切断する際に、のこぎり等の工具が切り取り部２０の表面上を先端側に向かって滑ることが防止される。したがって、のこぎり等の工具を切り取り部２０の表面の所定箇所に位置付けやすくなり、切断作業をより簡単に行うことができる。
【００６０】
（実施形態２）
実施形態１に係るオリフィス部材１０は、フランジ部２２を備えたものであった。これに対し、図１６〜図１８に示すように、実施形態２に係るオリフィス部材１０ｂは、差し込み部２９を備えたものである。
【００６１】
図１７および図１８に示すように、実施形態２に係るオリフィス部材１０ｂは、実施形態１と同様の切り取り部２０と、切り取り部２０の根元側に連続する差し込み部２９とから構成されている。差し込み部２９は直管状に形成され、いわゆる差口となっている。図１６に示すように、本実施形態では、差し込み部２９は、ブッシング３５を介して、ます本体２の流出口２ｂに接続された流出管１２の内部に差し込まれる。すなわち、差し込み部２９は、流出管１２の内部に間接的に差し込まれる。
【００６２】
なお、本実施形態では、差し込み部２９はブッシング３５を介して流出管１２の内部に差し込まれているが、差し込み部２９を流出管１２の内部に直接差し込むことも可能である。
【００６３】
また、差し込み部２９は、ます本体２の流出口２ｂ側の受け口の内部に差し込まれるものであってもよい。差し込み部２９を、ます本体２の流入口２ａ側の受け口の内部に差し込むことも可能である。また、差し込み部２９を流入管１１の内部に差し込んでもよい。
【００６４】
ます本体２等に対するオリフィス部材１０ｂの固定方法は特に限定されない。例えば、差し込み部２９、ブッシング３５、ます本体２、および流出管１２を互いに接着させることによって、オリフィス部材１０ｂを固定するようにしてもよい。
【００６５】
なお、本実施形態によれば、オリフィス部材１０ｂは、ます１の内部に突出していない。そのため、ます１内にバケット３を着脱する際に、オリフィス部材１０ｂが邪魔になることはない。
【００６６】
ただし、オリフィス部材１０ｂを、その一部がます１の内部に突出するように配置することも勿論可能である。
【００６７】
なお、実施形態１と同様、実施形態２においても、切り取り部２０には種々の変形例が考えられる。切り取り部２０の形状は、図１６〜図１８に示す形状に限定される訳ではない。
【００６８】
（実施形態３）
実施形態１および２に係るオリフィス部材１０，１０ｂは、切り取り部２０が先細り形状に形成されたものであった。これに対し、図１９に示すように、実施形態３に係るオリフィス部材１０ｃは、切り取り部２０が板状に形成されたものである。
【００６９】
詳しくは、実施形態３に係るオリフィス部材１０ｃは、板状に形成された切り取り部２０と、切り取り部２０の周囲に広がる板状のベース部３０とから構成されている。ベース部３０と切り取り部２０とは滑らかに連続しており、全体として一枚の板を形成している。なお、本実施形態では、オリフィス部材１０ｃはます本体２の内面に沿うように湾曲している。すなわち、本実施形態に係るオリフィス部材１０ｃは、ベース部３０と切り取り部２０とが一体となった湾曲板となっている。ただし、オリフィス部材１０ｃは湾曲板に限らず、平板であってもよい。
【００７０】
切り取り部２０には、同心円状の複数の標線４０が設けられている。いずれか一つの標線４０に沿って切り取り部２０の一部を抜き取ることによって、所定の直径の流通口を形成することができる。なお、標線４０の代わりに、溝を形成するようにしてもよい。
【００７１】
本実施形態においても、オリフィス部材１０ｃは、切り取り位置を変えることによって開口面積の異なる流通口が形成可能な切り取り部２０を備えている。そのため、切り取り位置を選択することにより、流通口の大きさを適宜設定することが可能であり、雨水の流量を適宜制限することができる。したがって、本実施形態に係るオリフィス部材１０ｃにおいても、交換用の部材は不要である。
【００７２】
なお、前記実施形態１〜３において、切り取り部２０の一部が切断可能である限り、オリフィス部材１０，１０ｂ，１０ｃの材料は特に限定されない。オリフィス部材１０，１０ｂ，１０ｃの材料として、例えば、塩化ビニル、ＡＢＳ等を好適に用いることができる。ただし、少なくとも切り取り部２０は、切断容易な材料で形成されていることが好ましい。切り取り部２０は、オリフィス部材１０，１０ｂ，１０ｃの他の部分と同一の材料であってもよく、異なっていてもよい。切り取り部２０は、可撓性を有する材料（例えばゴム等）で形成されていてもよい。切り取り部２０は、はさみで切断できるような材料であってもよい。
【産業上の利用可能性】
【００７３】
以上のように、ここで開示されるオリフィス部材は、雨水配管経路等における雨水等の流量を制限する用途等に有用である。
【符号の説明】
【００７４】
１                      ます
２                      ます本体
２ａ                    流入口
２ｂ                    流出口
３                      バケット
４                      立管
１０，１０ｂ，１０ｃ    オリフィス部材
１１                    流入管
１２                    流出管
２０                    切り取り部
２１ｋ                  稜線
２１                    直管部
２２                    フランジ部
２４                    流通口
２９                    差し込み部
３０                    ベース部
４０                    標線
４１                    溝
４２                    段差
１００                  配管経路
１０１                  雨水貯留浸透槽
１０２                  雨水本管
【図１】
0005324691.tif 000002
【図２】
0005324691.tif 000003
【図３】
0005324691.tif 000004
【図４】
0005324691.tif 000005
【図５】
0005324691.tif 000006
【図６】
0005324691.tif 000007
【図７】
0005324691.tif 000008
【図８】
0005324691.tif 000009
【図９】
0005324691.tif 000010
【図１０】
0005324691.tif 000011
【図１１】
0005324691.tif 000012
【図１２】
0005324691.tif 000013
【図１３】
0005324691.tif 000014
【図１４】
0005324691.tif 000015
【図１５】
0005324691.tif 000016
【図１６】
0005324691.tif 000017
【図１７】
0005324691.tif 000018
【図１８】
0005324691.tif 000019
【図１９】
0005324691.tif 000020